(57)【要約】【課題】  審査者の負担が少なく、入賞作品を決めるための審査を通過する作品が特定応募者の作品にばかり偏りにくい、コンテストの審査の仕組みを提供する【解決手段】  複数のコンテンツの中から入賞作品を決定するための審査を行うコンテストのサイトを管理し、応募されたコンテンツと応募者を識別する識別情報とを対応させて管理する情報管理装置に、通信可能に接続される情報処理装置であって、前記情報管理装置で管理されている前記コンテンツの中から入賞作品を決定するための審査を行う審査画面を表示する表示手段と、コンテストの入賞作品を決定するべく審査通過となるコンテンツを決めるためのコンテンツの指定を受付ける指定受付手段と、審査通過となるコンテンツの中に、同一の応募者であると識別される応募者から応募されたコンテンツの数が所定の数を超過した場合には、その旨を通知する通知手段とを備えることを特徴とする情報処理装置。【選択図】  図１１
2016212659.tif 000002
【特許請求の範囲】
【請求項１】
複数のコンテンツの中から入賞作品を決定するための審査を行うコンテストのサイトを管理し、当該サイトへ応募された前記コンテンツと当該コンテンツの応募者を識別する識別情報とを対応させて管理する情報管理装置に、通信可能に接続される情報処理装置であって、
前記情報管理装置で管理されている前記コンテンツの中から入賞作品を決定するための審査を行う審査画面を表示する表示手段と、
前記表示手段で表示された前記審査画面において、前記コンテストの入賞作品を決定するべく審査通過となるコンテンツを決めるためのコンテンツの指定を受付ける指定受付手段と、
前記指定受付手段により受付けた指定に基づいて審査通過となるコンテンツの中に、前記識別情報によって同一の応募者であると識別される応募者から応募されたコンテンツの数が所定の数を超過した場合には、その旨を通知する通知手段とを備えることを特徴とする情報処理装置。
【請求項２】
前記情報管理装置は、前記所定の数を記憶する情報管理装置であって、
前記コンテンツと当該コンテンツの応募者を識別する前記識別情報と前記所定の数とを前記情報管理装置から取得する取得手段と、
前記取得手段で取得したコンテンツの中で、前記指定受付手段で受付けた前記コンテストの入賞作品を決定するべく審査通過となるコンテンツを決めるためのコンテンツの指定に基づいて審査通過となるコンテンツと当該コンテンツの応募者を識別する前記識別情報と前記所定の数とに基づいて審査通過となるコンテンツのうち、前記取得手段で取得した前記識別情報によって同一の応募者であると識別される応募者から応募されたコンテンツの数が前記取得手段で取得した前記所定の数を超過しているか否かを判定する判定手段とを備え、
前記通知手段は、前記取得手段で取得したコンテンツの中で、前記指定受付手段で受付けた前記コンテストの入賞作品を決定するべく審査通過となるコンテンツを決めるためのコンテンツの指定に基づいて審査通過となるコンテンツと当該コンテンツの応募者を識別する前記識別情報と前記所定の数とに基づいて審査通過となるコンテンツのうち、前記取得手段で取得した前記識別情報によって同一の応募者であると識別される応募者から応募された審査通過となるコンテンツの数が前記取得手段で取得した前記所定の数を超過していると判定した場合には、その旨を通知することを特徴とする請求項１に記載の情報処理装置。
【請求項３】
前記情報管理装置は、前記指定受付手段で受付けた前記コンテストの入賞作品を決定するべく審査通過となるコンテンツを決めるためのコンテンツの指定の情報を受付けて、当該情報管理装置が管理するコンテンツのうち、いずれのコンテンツが前記指定の情報に基づいて審査通過となるコンテンツであるかを、当該情報管理装置が管理するコンテンツに対応付けて管理し、当該情報管理装置が管理するコンテンツの中で審査通過となるコンテンツのうち、当該識別情報によって同一の応募者であると識別される応募者から応募された審査通過となるコンテンツの数が前記所定の数を超過しているか否かを当該情報管理装置が管理するコンテンツと前記識別情報と前記所定の数とに基づいて判定し、その結果を通知するものであり、
前記情報管理装置に、前記指定受付手段が受付けた前記表示手段で表示された前記審査画面において、前記コンテストの入賞作品を決定するべく審査通過となるコンテンツを決めるためのコンテンツの指定の情報を送信する送信手段と、
前記送信手段で送信された前記指定の情報に基づく前記情報管理装置が管理するコンテンツとコンテンツの応募者を識別する前記識別情報と前記所定の数とに基づいて審査通過となるコンテンツのうち、当該識別情報によって同一の応募者であると識別される応募者から応募された審査通過となるコンテンツの数が当該所定の数を超過しているか否かを判定の結果の通知を受信する受信手段とを更に備え、
前記通知手段は、前記受信手段で受信した前記指定の情報に基づく前記情報管理装置が管理するコンテンツとコンテンツの応募者を識別する前記識別情報と前記所定の数とに基づいて審査通過となるコンテンツのうち、当該識別情報によって同一の応募者であると識別される応募者から応募された審査通過となるコンテンツの数が当該所定の数を超過しているか否かの判定の結果が、超過しているという結果であった場合には、その旨を通知することを特徴とする請求項１に記載の情報処理装置。
【請求項４】
前記通知手段は、前記指定受付手段により受付けた指定に基づいて審査通過となるコンテンツの中に、前記識別情報によって同一の応募者であると識別される応募者から応募されたコンテンツの数が所定の数となった場合には、その旨を通知することを特徴とする請求項１乃至３のいずれか１項に記載の情報処理装置。
【請求項５】
前記コンテストの審査の対象であって前記識別情報によって同一の応募者であると識別されるコンテンツのうち、前記指定受付手段により受付けた指定に基づいて未審査となるコンテンツがある場合であっても、前記通知手段は、前記指定受付手段により受付けた指定に基づいて審査通過となるコンテンツの中に、前記識別情報によって同一の応募者であると識別される応募者から応募されたコンテンツの数が所定の数を超過した場合には、その旨を通知することを特徴とする請求項１乃至４のいずれか１項記載の情報処理装置。
【請求項６】
前記指定受付手段により受付けた、審査通過となるコンテンツを決めるためのコンテンツの指定に基づいて入賞作品を決定する前記コンテストの審査を中断する指示を受付ける第１の審査中断指示受付手段を更に備え、
前記第１の審査中断指示受付手段が前記コンテストの審査を中断する指示を受付けた際に、前記通知手段は、前記指定受付手段により受付けた指定に基づいて審査通過となるコンテンツの中に、前記識別情報によって同一の応募者であると識別される応募者から応募されたコンテンツの数が所定の数を超過した場合にはその旨を通知することを特徴とする請求項１乃至５のいずれか１項に記載の情報処理装置。
【請求項７】
前記指定受付手段により受付けた、審査通過となるコンテンツを決めるためのコンテンツの指定に基づいて入賞作品を決定する前記コンテストの審査を完了する指示を受付ける第１の審査完了指示受付手段を更に備え、
前記第１の審査完了指示受付手段が前記コンテストの審査を完了する指示を受付けた際に、前記通知手段は、前記指定受付手段により受付けた指定に基づいて審査通過となるコンテンツの中に、前記識別情報によって同一の応募者であると識別される応募者から応募されたコンテンツの数が所定の数を超過した場合にはその旨を通知することを特徴とする請求項１乃至６のいずれか１項に記載の情報処理装置。
【請求項８】
前記第１の審査完了指示受付手段は、前記指定受付手段により受付けた指定に基づいて審査通過となるコンテンツの中に、前記識別情報によって同一と識別される応募者から応募されたコンテンツの数が所定の数を超過している場合には入賞作品を決定し審査を完了する指示を受付けず、一方、前記識別情報によって同一と識別される応募者から応募された前記コンテンツの数が所定の数を超過していない場合には入賞作品を決定し審査を完了する指示を受付けることを特徴とする請求項７に記載の情報処理装置。
【請求項９】
前記指定受付手段により受付けた指定に基づいて審査通過となるコンテンツの中に、前記識別情報によって同一の応募者であると識別される応募者から応募されたコンテンツの数が所定の数を超過した場合には、当該識別情報によって同一の応募者であると識別される応募者から応募されたコンテンツの数がそれぞれ所定の数以内に収まるよう、審査通過となるコンテンツの指定を再度受付ける再指定受付手段を更に備えることを特徴とする請求項１乃至８のいずれか１項に記載の情報処理装置。
【請求項１０】
前記再指定受付手段は、所定の数以上ある前記識別情報によって同一の応募者であると識別される応募者から応募されたコンテンツを、ユーザに識別可能にサムネイル表示し、
前記再指定受付手段が表示する前記サムネイル表示を、拡大表示させる指示を受付ける拡大指示受付手段を備えることを特徴とする請求項９に記載の情報処理装置。
【請求項１１】
前記所定の数を、ユーザから受けつける所定の数受付手段を備えることを特徴とする、請求項１乃至９のいずれか１項に記載の情報処理装置。
【請求項１２】
複数のコンテンツの中から入賞作品を決定するための審査を行うコンテストのサイトを管理し、当該サイトへ応募された前記コンテンツと当該コンテンツの応募者を識別する識別情報とを対応させて管理する情報管理装置に、通信可能に接続される情報処理装置における制御方法であって、
前記情報処理装置の表示手段が、前記情報管理装置で管理されている前記コンテンツの中から入賞作品を決定するための審査を行う審査画面を表示する表示工程と、
前記情報処理装置の指定受付手段が、前記表示手段で表示された前記審査画面において、前記コンテストの入賞作品を決定するべく審査通過となるコンテンツを決めるためのコンテンツの指定を受付ける指定受付工程と、
前記情報処理装置の通知手段が、前記指定受付手段により受付けた指定に基づいて審査通過となるコンテンツの中に、前記識別情報によって同一の応募者であると識別される応募者から応募されたコンテンツの数が所定の数を超過した場合には、その旨を通知する通知工程とを含むことを特徴とする制御方法。
【請求項１３】
複数のコンテンツの中から入賞作品を決定するための審査を行うコンテストのサイトを管理し、当該サイトへ応募された前記コンテンツと当該コンテンツの応募者を識別する識別情報とを対応させて管理する情報管理装置に、通信可能に接続される情報処理装置で読み取り実行が可能なプログラムであって、
前記情報処理装置を、
前記情報管理装置で管理されている前記コンテンツの中から入賞作品を決定するための審査を行う審査画面を表示する表示手段と、
前記表示手段で表示された前記審査画面において、前記コンテストの入賞作品を決定するべく審査通過となるコンテンツを決めるためのコンテンツの指定を受付ける指定受付手段と、
前記指定受付手段により受付けた指定に基づいて審査通過となるコンテンツの中に、前記識別情報によって同一の応募者であると識別される応募者から応募されたコンテンツの数が所定の数を超過した場合には、その旨を通知する通知手段として機能させることを特徴とするプログラム。
【請求項１４】
複数のコンテンツの中から入賞作品を決定するための審査を行うコンテストのサイトを管理し、当該サイトへ応募された前記コンテンツと当該コンテンツの応募者を識別する識別情報とを対応させて管理する情報管理装置に、通信可能に接続される情報処理システムであって、
前記情報管理装置で管理されている前記コンテンツの中から入賞作品を決定するための審査を行う審査画面を表示する表示手段と、
前記表示手段で表示された前記審査画面において、前記コンテストの入賞作品を決定するべく審査通過となるコンテンツを決めるためのコンテンツの指定を受付ける指定受付手段と、
前記指定受付手段により受付けた指定に基づいて審査通過となるコンテンツの中に、前記識別情報によって同一の応募者であると識別される応募者から応募されたコンテンツの数が所定の数を超過した場合には、その旨を通知する通知手段とを備えることを特徴とする情報処理システム。
【請求項１５】
複数のコンテンツの中から入賞作品を決定するための審査を行うコンテストのサイトを管理し、当該サイトへ応募された前記コンテンツと当該コンテンツの応募者を識別する識別情報とを対応させて管理する情報管理装置に、通信可能に接続される情報処理システムにおける制御方法であって、
前記情報処理システムの表示手段が、前記情報管理装置で管理されている前記コンテンツの中から入賞作品を決定するための審査を行う審査画面を表示する表示工程と、
前記情報処理システムの指定受付手段が、前記表示手段で表示された前記審査画面において、前記コンテストの入賞作品を決定するべく審査通過となるコンテンツを決めるためのコンテンツの指定を受付ける指定受付工程と、
前記情報処理システムの通知手段が、前記指定受付手段により受付けた指定に基づいて審査通過となるコンテンツの中に、前記識別情報によって同一の応募者であると識別される応募者から応募されたコンテンツの数が所定の数を超過した場合には、その旨を通知する通知工程を含むことを特徴とする制御方法。
【請求項１６】
複数のコンテンツの中から入賞作品を決定するための審査を行うコンテストのサイトを管理し、当該サイトへ応募された前記コンテンツと当該コンテンツの応募者を識別する識別情報とを対応させて管理する情報管理装置に、通信可能に接続される情報処理システムで読み取り実行が可能なプログラムであって、
前記情報処理システムを、
前記情報管理装置で管理されている前記コンテンツの中から入賞作品を決定するための審査を行う審査画面を表示する表示手段と、
前記表示手段で表示された前記審査画面において、前記コンテストの入賞作品を決定するべく審査通過となるコンテンツを決めるためのコンテンツの指定を受付ける指定受付手段と、
前記指定受付手段により受付けた指定に基づいて審査通過となるコンテンツの中に、前記識別情報によって同一の応募者であると識別される応募者から応募されたコンテンツの数が所定の数を超過した場合には、その旨を通知する通知手段として機能させることを特徴とするプログラム。
【請求項１７】
情報処理装置に通信可能に接続され、複数のコンテンツの中から入賞作品を決定するための審査を行うコンテストのサイトを管理し、当該サイトへ応募された前記コンテンツと当該コンテンツの応募者を識別する識別情報とを対応させて管理する情報管理装置であって、
前記情報管理装置で管理されている前記コンテンツの中から入賞作品を決定するための審査を前記情報処理装置に表示させるべく審査画面を送信する審査画面送信手段と、
前記審査画面送信手段を受付けた前記情報処理装置が表示した前記審査画面を通じて、前記情報処理装置が受付けた前記コンテストの入賞作品を決定するべく審査通過となるコンテンツを決めるためのコンテンツの指定の情報を受信する、指定の情報受付手段と、
前記指定の情報受付手段により受付けた情報に基づいて審査通過となる前記情報管理装置で管理されるコンテンツの中に、前記識別情報によって同一の応募者であると識別される応募者から応募されたコンテンツの数が所定の数を超過した場合には、その旨を通知する超過通知手段とを備えることを特徴とする情報処理装置。
【請求項１８】
前記所定の数を記憶する記憶手段と、
前記情報管理装置で管理されるコンテンツの中で前記指定の情報受付手段で受付けた情報に基づいて審査通過となるコンテンツのうち、前記識別情報によって同一の応募者であると識別される応募者から応募された審査通過となるコンテンツの数が前記所定の数を超過しているか否かを当該情報管理装置が管理するコンテンツと前記識別情報と前記所定の数とに基づいて判定する超過判定手段とを更に備え、
前記超過通知手段は、前記判定手段が前記情報管理装置で管理されるコンテンツの中で前記指定の情報受付手段で受付けた情報に基づいて審査通過となるコンテンツのうち、前記識別情報によって同一の応募者であると識別される応募者から応募された審査通過となるコンテンツの数が前記所定の数を超過していると判定した場合には、その旨を通知することを特徴とする請求項１７に記載の情報処理装置。
【請求項１９】
前記超過通知手段は、前記指定の情報受付手段により受付けた情報に基づいて審査通過となるコンテンツの中に、前記識別情報によって同一の応募者であると識別される応募者から応募されたコンテンツの数が所定の数となった場合には、その旨を通知することを特徴とする請求項１７または１８に記載の情報処理装置。
【請求項２０】
前記コンテストの審査の対象であって前記識別情報によって同一の応募者であると識別されるコンテンツのうち、前記指定の情報受付手段により受付けた情報に基づいて未審査となるコンテンツがある場合であっても、前記超過通知手段は、前記指定の情報受付手段により受付けた指定に基づいて審査通過となるコンテンツの中に、前記識別情報によって同一の応募者であると識別される応募者から応募されたコンテンツの数が所定の数を超過した場合には、その旨を通知することを特徴とする請求項１７乃至１９のいずれか１項に記載の情報処理装置。
【請求項２１】
前記審査画面送信手段で送信した前記審査画面において、前記情報処理装置がユーザから受付けた、審査通過となるコンテンツを決めるためのコンテンツの指定に基づいて入賞作品を決定する前記コンテストの審査を中断する指示を取得する、第２の審査中断指示受付手段を更に備え、
前記第２の審査中断指示受付手段が前記コンテストの審査を中断する指示を受付けた際に、前記超過通知手段は、前記指定の情報受付手段により受付けた情報に基づいて審査通過となるコンテンツの中に、前記識別情報によって同一の応募者であると識別される応募者から応募されたコンテンツの数が所定の数を超過した場合にはその旨を通知することを特徴とする請求項１７乃至２０のいずれか１項に記載の情報処理装置。
【請求項２２】
前記審査画面送信手段で送信した前記審査画面において、前記情報処理装置がユーザから受付けた、審査通過となるコンテンツを決めるためのコンテンツの指定に基づいて入賞作品を決定する前記コンテストの審査を完了する指示を取得する、第２の審査完了指示受付手段を更に備え、
前記第２の審査完了指示受付手段が前記コンテストの審査を完了する指示を受付けた際に、前記超過通知手段は、前記指定の情報受付手段により受付けた情報に基づいて審査通過となるコンテンツの中に、前記識別情報によって同一の応募者であると識別される応募者から応募されたコンテンツの数が所定の数を超過した場合にはその旨を通知することを特徴とする請求項１７乃至２１のいずれか１項に記載の情報処理装置。
【請求項２３】
前記第２の審査完了指示受付手段は、前記指定の情報受付手段により受付けた情報に基づいて審査通過となるコンテンツの中に、前記識別情報によって同一と識別される応募者から応募されたコンテンツの数が所定の数を超過している場合には入賞作品を決定し審査を完了する指示を受付けず、一方、前記識別情報によって同一と識別される応募者から応募された前記コンテンツの数が所定の数を超過していない場合には入賞作品を決定し審査を完了する指示を受付けることを特徴とする請求項２２に記載の情報処理装置。
【請求項２４】
前記指定の情報受付手段により受付けた情報に基づいて審査通過となるコンテンツの中に、前記識別情報によって同一の応募者であると識別される応募者から応募されたコンテンツの数が所定の数を超過した場合には、当該識別情報によって同一の応募者であると識別される応募者から応募されたコンテンツの数がそれぞれ所定の数以内に収まるよう、審査通過となるコンテンツの指定を再度受付けるための、受付画面を送信する再審査受付画面送信手段を更に備えることを特徴とする請求項１７乃至２３のいずれか１項に記載の情報処理装置。
【請求項２５】
前記再審査受付画面送信手段は、所定の数以上ある前記識別情報によって同一の応募者であると識別される応募者から応募されたコンテンツを、ユーザに識別可能にサムネイル表示する受付画面であって、表示される前記サムネイル表示を、拡大表示させる指示を受付ける受付画面を送信することを特徴とする請求項２４に記載の情報処理装置。
【請求項２６】
前記所定の数をユーザから受けつけるための画面送信する、所定の数受付画面送信手段を備えることを特徴とする、請求項１７乃至２６のいずれか１項に記載の情報処理装置。
【請求項２７】
情報処理装置に通信可能に接続され、複数のコンテンツの中から入賞作品を決定するための審査を行うコンテストのサイトを管理し、当該サイトへ応募された前記コンテンツと当該コンテンツの応募者を識別する識別情報とを対応させて管理する情報管理装置における制御方法であって、
前記情報管理装置の審査画面送信手段が、当該情報管理装置で管理されている前記コンテンツの中から入賞作品を決定するための審査を前記情報処理装置に表示させるべく審査画面を送信する審査画面送信工程と、
前記情報管理装置の指定の情報受付手段が、前記審査画面送信手段を受付けた前記情報処理装置が表示した前記審査画面を通じて、前記情報処理装置が受付けた前記コンテストの入賞作品を決定するべく審査通過となるコンテンツを決めるためのコンテンツの指定の情報を受信する、指定の情報受付工程と、
前記情報管理装置の超過通知手段が、前記指定の情報受付手段により受付けた情報に基づいて審査通過となる前記情報管理装置で管理されるコンテンツの中に、前記識別情報によって同一の応募者であると識別される応募者から応募されたコンテンツの数が所定の数を超過した場合には、その旨を通知する超過通知工程とを含むことを特徴とする制御方法。
【請求項２８】
情報処理装置に通信可能に接続され、複数のコンテンツの中から入賞作品を決定するための審査を行うコンテストのサイトを管理し、当該サイトへ応募された前記コンテンツと当該コンテンツの応募者を識別する識別情報とを対応させて管理する情報管理装置で読み取り実行が可能なプログラムであって、
前記情報管理装置を、
前記情報管理装置で管理されている前記コンテンツの中から入賞作品を決定するための審査を前記情報処理装置に表示させるべく審査画面を送信する審査画面送信手段と、
前記審査画面送信手段を受付けた前記情報処理装置が表示した前記審査画面を通じて、前記情報処理装置が受付けた前記コンテストの入賞作品を決定するべく審査通過となるコンテンツを決めるためのコンテンツの指定の情報を受信する、指定の情報受付手段と、
前記指定の情報受付手段により受付けた情報に基づいて審査通過となる前記情報管理装置で管理されるコンテンツの中に、前記識別情報によって同一の応募者であると識別される応募者から応募されたコンテンツの数が所定の数を超過した場合には、その旨を通知する超過通知手段として機能させることを特徴とするプログラム。
【発明の詳細な説明】
【技術分野】
【０００１】
本願発明は、情報処理装置、情報管理装置および、制御方法、プログラムであって、特にコンテンツのコンテストに関連する情報処理装置、情報管理装置に関する。
【背景技術】
【０００２】
従来、フォトコンテストの応募方法は、応募者がプリントした写真をコンテスト事務局に送付する方法が一般的であった。そして、コンテスト事務局に送付された写真の審査方法は、応募された写真を机の上に並べて審査者が比較し、優劣を決するやり方が一般的であった。
【０００３】
また、フォトコンテストの応募方法と同様に、従来のビデオなどの動画コンテンツのコンテストの応募方法も、応募者が動画を記憶させた記憶媒体をコンテスト事務局に送付する方法が一般的であった。そして、動画の審査方法は、審査者が応募された動画を再生プレイヤー等で再生・比較して優劣を決するやり方が一般的であった。
【０００４】
しかし、近年ではデジタル撮影機器とインターネットの普及によってコンテストの応募方法や審査方法に変化が起きている。近年では、静止画や動画のコンテストの応募方法は、デジタルコンテンツを応募者がインターネット回線でコンテスト事務局の運営するコンテストサイトに送信するやり方が一般的である。そして、コンテストの審査方法は、審査者が応募されたデジタルコンテンツをモニタ上で審査することでコンテストの入賞作品を決めるやり方が、一般的である。
【０００５】
以上のように、コンテストの応募や審査の方法が変化したことによって、応募者は、静止画のプリント、動画を記憶媒体に記憶するプロセス、コンテンツの送付の際の手間やコストが大幅に軽減した。さらに近年では、カメラ機能、通信機能、画像の編集・加工機能が一体となったスマートフォンやタブレットの普及によって、コンテストに応募するための画像加工が一層容易になり、この点においても応募者の負担は軽減された。
【０００６】
このような技術的進歩によって、応募者はより質の高い作品（例えば静止画や動画）を簡単に編集・応募できるようになり、その結果、コンテストの応募作品は、質・量ともに高まることとなった。
しかし、このような状況が、審査者に審査点数の増大や、優劣判定の高度化といった審査上の様々な負担を増大させる要因となっている。
そこで、審査者の負担を軽減すべく、特許文献１に示すような仕組みが提案されている。
【先行技術文献】
【特許文献】
【０００７】
【特許文献１】特開２０１２−１８５７０６号公報
【発明の概要】
【発明が解決しようとする課題】
【０００８】
特許文献１では、予選と決勝戦とから成る審査において、それぞれの審査段階において所定のルールに基づいた所定の人数の審査者グループを生成する仕組みを設け、それぞれの審査過程において、過不足なく効率的に審査者の絞り込みが行える仕組みを提案している。しかしながら、特許文献１の方法は、人のオーディション（コンテスト）を前提としたものであり、応募者自身が審査対象である。したがって、フォトコンテストや動画のコンテストのように、応募者が複数のコンテンツを応募するという状況で発生する問題には対応することができない。その問題とは具体的には、同一応募者のコンテンツばかりが審査通過や入賞となってしまうことである。同一応募者のコンテンツがコンテストの賞を獲得することは、コンテストの盛り上がりという観点から、好ましくない。そのため、複数の応募が可能なコンテストであっても、コンテストの盛り上がりを考慮して、通常入賞作品は一人一点までに制限されている。
【０００９】
特に、頭抜けてレベルの高い特定の応募者がいた場合にはこのような問題が起こりやすい。したがって、レベルの高い作品が容易に多数応募できる今日の状況下では、同一の応募者の作品が所定の数（多くは一人一点）を超えて審査通過や入賞しないよう、慎重に審査を進めなければならないケースが多く発生する。
【００１０】
また、複数の応募者の作品の実力が高いレベルで拮抗し、それぞれの判断が僅差の場合においても、実は同様な問題が発生しやすい。実力が伯仲する高レベルの作品の審査においては、最終的に審査者の好みに同調する同一応募者の作品ばかりが選ばれやすくなるからである。したがって、このような状況下においても、審査者は、同一の応募者の作品が所定の数（多くは一人一点）を超えて審査通過や入賞しないよう、慎重に審査を進めなければならない。
【００１１】
以上のように、今日ではレベルの高い作品を大量に応募しやすくなったが故、作品の応募者を意識せずに審査者の好みの作品をピックアップすると、同一応募者の作品ばかりを審査通過や入賞させてしまう可能性が高まっているといえる。したがって、審査者は審査において、このような事態に陥らないように、今まで以上に気を付けながら審査を行わなければならない点で、負荷かかっていると言える。
【００１２】
本発明は、審査者の負担が少なく、入賞作品を決めるための審査を通過する作品が特定応募者の作品にばかり偏りにくい、コンテストの審査の仕組みを提供する。
【課題を解決するための手段】
【００１３】
本発明は、複数のコンテンツの中から入賞作品を決定するための審査を行うコンテストのサイトを管理し、当該サイトへ応募された前記コンテンツと当該コンテンツの応募者を識別する識別情報とを対応させて管理する情報管理装置に、通信可能に接続される情報処理装置であって、前記情報管理装置で管理されている前記コンテンツの中から入賞作品を決定するための審査を行う審査画面を表示する表示手段と、前記表示手段で表示された前記審査画面において、前記コンテストの入賞作品を決定するべく審査通過となるコンテンツを決めるためのコンテンツの指定を受付ける指定受付手段と、前記指定受付手段により受付けた指定に基づいて審査通過となるコンテンツの中に、前記識別情報によって同一の応募者であると識別される応募者から応募されたコンテンツの数が所定の数を超過した場合には、その旨を通知する通知手段とを備えることを特徴とする。
【発明の効果】
【００１４】
このように設けることで、審査者の負担が少なく、入賞作品を決めるための審査を通過する作品が特定応募者の作品にばかり偏りにくい、コンテストの審査の仕組みを提供することができる。
【図面の簡単な説明】
【００１５】
【図１】本発明のシステム構成の一例を示した構成図である。
【図２】本発明のハードウエアの構成の一例を示した構成図である。
【図３】コンテストにコンテンツが応募される際のフローの一例を示した構成図である。
【図４】コンテストに応募するためのコンテンツや応募者の情報を受付けるための応募受付画面の一例を示した構成図である。
【図５】本発明のメインフローの一例を示した構成図である。
【図６】本発明の審査結果に基づく審査画面９００の遷移のサブフローの一例を示した構成図である。
【図７】本発明の審査の途中保存の処理フローの一例を示した構成図である。
【図８】本発明の審査の完了の処理フローの一例を示した構成図である。
【図９】審査画面９００の構成の一例を示した構成図である。
【図１０】ある応募者の現審査段階の審査通過コンテンツが、所定の数（上限値）となった際の表示画面の一例を示した構成図である。
【図１１】ある応募者の現審査段階の審査通過コンテンツが、所定の数（上限値）を超過した際の表示画面の一例を示した構成図である。
【図１２】超過コンテンツ表示領域１１０２にマウスカーソル１２０１が重ねられた状態の一例を示す構成図である。
【図１３】図１１のある応募者の現審査段階の審査通過コンテンツが、所定の数（上限値）を超過した状態が解消された際の表示画面の一例を示した構成図である。
【図１４】図１１の状態において審査状況保存ボタン９１１の押下を受付けた状態の一例を示す構成図である。
【図１５】最終審査において、図１０と同様にある応募者の審査通過（入賞）コンテンツが、所定の数（上限値）となった際の表示画面の一例を示した構成図である。
【図１６】最終審査において、図１１と同様にある応募者の審査通過（入賞）コンテンツが、所定の数（上限値）を超過した際の表示画面の一例を示した構成図である。
【図１７】最終審査段階において、図１３と同様に図１６のある応募者の審査通過（入賞）コンテンツが、所定の数（上限値）を超過した状態が解消された際の表示画面の一例を示した構成図である。
【図１８】図１６の状態において審査完了ボタン９１２の押下を受付けた状態の一例を示す構成図である。
【図１９】完了ロックチェックボックス９０２が有効（オン）になっている場合の図１８の変形例の一例を示した構成図である。
【図２０】各審査段階において所定の数を超過した同一応募者の審査通過・入賞したコンテンツを一覧表示する画面の一例を示した構成図である。
【図２１】審査通過数指定変更ボタン９１３が押下された際に表示される画面の一例を示した構成図である。
【図２２】本発明で扱うデータテーブルの一例を示した構成図である。
【発明を実施するための形態】
【００１６】
以下、図面を参照して、本発明の実施形態を詳細に説明する。
図１は、本発明のシステム構成の一例を示した構成図である。
【００１７】
本システムは、審査者情報処理装置１１０（コンテスト審査者の情報処理端末）と情報管理装置１２０と応募者情報処理端末１３０（コンテスト応募者の情報処理端末）とが、通信ネットワーク１４０を介して通信可能に接続される。また、情報管理装置１２０には、管理者情報処理端末１５０（情報管理装置１２０の管理者の情報処理端末）が通信可能に接続される。
【００１８】
本明細書におけるコンテストとは、情報管理装置１２０が管理するコンテストサイトで行われるコンテストであり、応募者情報処理端末１３０から応募を受付けた複数のコンテンツ（作品）の中から決められた数の入賞作品を決定するコンテストである。また、コンテストにおいて入賞作品を決定するための審査対象となるコンテンツは、本実施例では一例として写真（フォト）コンテストを想定して書かれている。しかし、写真に限らず様々な静止画、動画、音楽、ソフトウエアプログラムなど、様々な著作物に置き換えて考えられるものとする。
【００１９】
審査者情報処理装置１１０は、情報管理装置１２０に通信可能に接続し、情報管理装置１２０から送信された審査画面９００を表示部２１０に表示する。審査画面９００にはコンテストに応募されたコンテンツが、審査者情報処理装置１１０のユーザである審査者に識別可能に表示される。そして、審査者情報処理装置１１０は、入賞作品を決めるための審査を通過するコンテンツを決定するための入力を、審査者から受付ける。審査者情報処理装置１１０は、具体的には例えば、パーソナルコンピュータ（ＰＣ）やスマートフォン、タブレット等の入出力の機能と通信機能とを備えた情報処理端末が想定される。なお、本実施例においては、審査者は１人で図１の審査者情報処理装置１１０も１つだけであるが、審査者は、複数いてもよい。つまり、通信ネットワーク１４０に接続された審査者情報処理装置１１０は、複数存在してもよい。
【００２０】
情報管理装置１２０は、コンテストのサイト（コンテストサイト）を管理・運営するための情報処理装置や情報管理サーバである。情報管理装置１２０は、応募者情報処理端末１３０からコンテストに応募されたコンテンツを受付け、それぞれのコンテンツの応募者が誰であるかを識別できる情報と対応付けて管理・記憶する。また、審査者情報処理装置１１０と通信可能に接続し、審査画面９００の送信を行ったり、入賞作品を決めるための審査を通過するコンテンツを決定するための審査の結果を受付けたりする。
【００２１】
応募者情報処理端末１３０は、コンテストサイトにコンテンツを応募（投稿）するユーザ（以後「応募者」と呼ぶ）が、情報管理装置１２０の管理するコンテストサイトに審査対象となるコンテンツを応募（送信）するための情報処理端末である。なお、コンテンツの具体的な送信（応募）方法は、コンテンツを情報管理装置１２０に送信するような直接的な方法であってもよいし、例えばメールに添付するなどコンテストと連携するメールサーバに送信するような、間接的な方法であってもよい。なお、本実施例においては、応募者情報処理端末１３０は１しか描かれていないが、応募者は１または複数存在する。したがって、通信ネットワーク１４０に接続された応募者情報処理端末１３０は、１または複数存在するものとする。
【００２２】
管理者情報処理端末１５０は、情報管理装置１２０と通信可能に接続される、情報管理装置１２０の管理を行う管理者の情報処理端末である。管理者情報処理端末１５０は、コンテストサイトのアドミニストレーターとして、コンテストに関する様々な設定と変更が可能である。具体的には、例えば、コンテストの審査者の権限付与や削除、コンテストの賞の数、応募者一人あたりのコンテンツの審査通過数や入賞数の設定や変更などである。なお、情報管理装置１２０とは通信ネットワーク１４０を介して接続されてもよい。
【００２３】
図２は、本発明のハードウエアの構成の一例を示した構成図である。ハードウエアは、審査者情報処理装置１１０、情報管理装置１２０、応募者情報処理端末１３０および管理者情報処理端末１５０である。
【００２４】
２０１はＣＰＵで、ＲＯＭ２０２のプログラム用ＲＯＭや外部メモリ２１１に記憶されたプログラムをＲＡＭ２０３にロードして実行することによりシステムバス２０４に接続された各デバイスを制御する。また、このＲＯＭ２０２のフォント用ＲＯＭにはフォントデータ等を記憶し、ＲＯＭ２０２のデータ用ＲＯＭには各種データを記憶する。２０３はＲＡＭで、ＣＰＵ２０１の主メモリ、ワークエリア等として機能する。２０２はキーボードコントローラ（入力コントローラ）で、２０９や図示しないポインティングデバイス、例えばタッチパッドからの入力を制御する。
【００２５】
入力コントローラ２０５は入力デバイス２０９を制御する。なお入力デバイス２０９には、タッチパネルも含まれ、その場合は、入力デバイス２０９が表示部２１０を兼ねているケースもある。２０６はビデオカード（ＶＣ）で、表示部２１０の表示を制御する。
【００２６】
２０７はメモリコントローラで、外部メモリ２１１（ハードディスク等）とのアクセスを制御する。２０８はネットワークインターフェースカード（ＮＩＣ）で、通信ネットワーク１４０上の通信を制御する。
図３は、コンテストにコンテンツが応募される際のフローの一例を示した構成図である。
【００２７】
フローは具体的には、ＣＰＵ２０１が外部メモリに記憶された制御プログラムをＲＡＭ２０３にロードして実行することにより行われるものであるが、簡易な表現とすべく情報管理装置１２０や応募者情報処理端末１３０を主体として説明する。これは、他の図のフローの説明においても同様で、情報管理装置１２０や応募者情報処理端末１３０に加え、審査者情報処理装置１１０や管理者情報処理端末１５０を主体にした説明にもあてはまるものとする。さらに審査者情報処理装置１１０を主体とするのではなく、変形例として、審査者情報処理装置１１０は表示とユーザからの指示入力受付のみを担当し、情報管理装置１２０で情報処理を行う形態としても構わない。
ステップＳ３０１では、応募者情報処理端末１３０は、情報管理装置１２０に応募受付画面４００の送信要求を行う。
【００２８】
ステップＳ３０２では、情報管理装置１２０は、応募者情報処理端末１３０からの応募受付画面の要求を受信し、応募者情報処理端末１３０に応募受付画面４００を送信する。
ステップＳ３０３では、応募者情報処理端末１３０は、情報管理装置１２０から応募受付画面４００を受信し、表示部２１０にする。
【００２９】
ステップＳ３０４では、応募者情報処理端末１３０は、応募受付画面４００を通じてコンテストに応募するコンテンツ（写真データ）と応募者情報の入力をユーザから受付ける。
【００３０】
ステップＳ３０５では、応募者情報処理端末１３０は、ステップＳ３０４で受付けたコンテンツと応募者情報を情報管理装置１２０へ送信する為の指示をユーザから受けつける。
【００３１】
ステップＳ３０６では、応募者情報処理端末１３０は、ステップＳ３０５でコンテンツと応募者情報を情報管理装置１２０へ送信する為の指示をユーザから受付けたか否かを判定する。そして、受付けていると判定した場合はステップＳ３０７に遷移し、一方、受付けていないと判定した場合はステップＳ３０９に遷移する。
ステップＳ３０７では、応募者情報処理端末１３０は、ステップＳ３０４で受付けたコンテンツと応募者情報を情報管理装置１２０へ送信する。
【００３２】
ステップＳ３０８では、情報管理装置１２０は、応募者情報処理端末１３０から送信された、コンテンツと応募者情報とを受付けて外部メモリ２１１に対応付けて記憶し、受付け完了を応募者情報処理端末１３０に通知する。
【００３３】
ステップＳ３０９では、応募者情報処理端末１３０は、情報管理装置１２０からの受付け完了通知を受信する。この際、応募受付画面４００に応募を受付けた旨のメッセージが表示されてもよい（不図示）。
ステップＳ３１０では、応募者情報処理端末１３０は、応募受付画面４００を通じてコンテストに応募を終了する指示をユーザから受付ける。
【００３４】
ステップＳ３１１では、応募者情報処理端末１３０は、ステップＳ３１０にてコンテストに応募を終了する指示を受付けたか否かを判定する。そして、受付けたと判定した場合には本フロー終了し、一方、受付けていないと判定した場合には、ステップＳ３０４に遷移する。
図４は、コンテストに応募するためのコンテンツや応募者の情報を受付けるための応募受付画面の一例を示した構成図である。
【００３５】
応募受付画面４００は、応募者情報処理端末１３０の表示部２１０に表示される画面であり、コンテストに応募するためのコンテンツや応募者の情報を受付ける。
【００３６】
コンテンツアドレス表示領域４０１は、応募コンテンツ一覧４０６に追加する候補のコンテンツのアドレスを表示する領域である。ここに表示されるアドレスは、次のように入力される。一つは、コンテンツ候補表示ボタン４０２の押下を受付けた際に表示される、別ウインドウ（不図示）に表示される応募コンテンツ一覧４０６に追加する候補を一覧の中のコンテンツの選択を受付けた場合である。この場合、選択されたコンテンツに対応するアドレスが自動的に入力されることになる。もう一つは、ユーザから表示領域への直接入力を受付けた場合である。
【００３７】
作品名受付領域４０３は、コンテンツアドレス表示領域４０１に表示されるアドレスに対応するコンテンツの名称（作品名）の入力を受付けるための領域である。
コメント受付領域４０４は、コンテンツアドレス表示領域４０１に表示されるアドレスに対応するコンテンツの、の入力を受付けるための領域である。
【００３８】
応募コンテンツ一覧追加指示受付ボタン４０５は、コンテンツアドレス表示領域４０１に表示されるアドレスに対応するコンテンツと、作品名受付領域４０３で受付けた作品名と、コメント受付領域４０４で受付けたコメントとを対応させ、応募コンテンツ一覧４０６に登録する指示をユーザから受付けるボタンである。
応募コンテンツ一覧４０６は、４０５のボタン押下により対応付けて受付けたコンテンツと作品名とコメントとを一覧表示する為の欄である。
ユーザＩＤ受付領域４０７は、コンテストへ応募する応募者のユーザＩＤの入力をユーザから受付ける欄である。
応募者名受付領域４０８は、コンテストへ応募する応募者の氏名の入力をユーザから受付ける欄である。
応募者郵便番号受付領域４０９は、コンテストへ応募する応募者の郵便番号の入力をユーザから受付ける欄である。
応募者住所受付領域４１０は、コンテストへ応募する応募者の住所の入力をユーザから受付ける欄である。
【００３９】
なお、本コンテストサイトがユーザログインを要するサイトであって、応募者情報処理端末１３０のユーザが既にログイン済みである場合には、そのユーザＩＤがユーザＩＤ受付領域４０７に反映される仕組みであってもよい。同様に、ユーザＩＤに対応付けられて応募者名、郵便番号、住所が応募者情報処理端末１３０や情報管理装置１２０で管理されているのであれば、その情報も、応募者名受付領域４０８、応募者郵便番号受付領域４０９、応募者住所受付領域４１０にそれぞれ反映される仕組みであってもよい。
【００４０】
コンテンツ応募指示ボタン４１１は、１９０６乃至１９１０で受付けたコンテストに応募するコンテンツ（作品名とコメントも対応付けられている）と応募者情報（例えば、ユーザＩＤ、応募者名、郵便番号、住所）とを、情報管理装置１２０に送信する指示をユーザから受付けるボタンである。
応募終了ボタン４１２は、コンテストへのコンテンツの応募を終了する（応募受付画面４００をシャットアウトする）指示をユーザから受付けるボタンである。
図５は、本発明のメインフローの一例を示した構成図である。つまり、本件の情報処理システムメインフローである。
ステップＳ５０１では、審査者情報処理装置１１０は、情報管理装置１２０に審査画面９００の送信を要求する。
【００４１】
ステップＳ５０２では、情報管理装置１２０は、審査者情報処理装置１１０を受信し、図９等に示すような審査画面９００と、審査画面９００の表示のために必要な情報である図２２で管理されているデータテーブルとを送信する。つまり、審査画面送信する審査画面送信手段である。
【００４２】
ステップＳ５０３では、審査者情報処理装置１１０は、ステップＳ５０２で情報管理装置１２０が送信した審査画面９００の情報とデータテーブルとを受信する。受信したデータテーブルは、審査者情報処理装置１１０のメモリやハードディスクに一時記憶または保存される。さらにメモリやハードディスクに一時記憶または保存されたデータテーブルは、この後のステップで、審査画面９００を通じて受付けた審査結果の管理や、同一応募者の審査通過・入賞したコンテンツの数が、各審査段階で所定の数に達したか、超過したかといった判定のステップでも用いられることになる。
【００４３】
ステップＳ５０４では、審査者情報処理装置１１０は、表示部２１０に審査画面９００を表示する。（入賞作品を決定するための審査を行う審査画面を表示する表示手段である）
【００４４】
ステップＳ５０５では、審査者情報処理装置１１０は、審査画面９００を通じて、審査者から審査結果の選択を受付ける。具体的には、例えば審査結果入力ボタン９０５や最終審査結果入力ボタン１５０１である。（コンテストの入賞作品を決定するべく審査通過となるコンテンツを決めるためのコンテンツの指定を受付ける指定受付手段）
【００４５】
ステップＳ５０６では、審査者情報処理装置１１０は、ステップＳ５０５で受付けた審査結果に基づいて、審査画面９００にその結果を反映させる。詳細については、後述する。
【００４６】
ステップＳ５０７では、審査者情報処理装置１１０は、審査者から審査画面９００に表示されている表示画像の切換え指示を、ユーザのスクロールバー９１４の移動や、審査段階切替えタグ９０３の押下基づいて受付ける。なお、本実施例ではスクロールバー形式だが、切換えボタンの押下に応じて審査画像の表示を切り替える方式や、タッチパネルであれば、スワイプで表示を切り替える方式など、様々な画像切換え指示方法が考えられる。
【００４７】
ステップＳ５０８では、審査者情報処理装置１１０は、ステップＳ５０７で表示画像の切換え指示を受付けたか否かの判定を行う。そして、ステップＳ５０７で表示画像の切換え指示を受付けたと判定した場合には、ステップＳ５０９に遷移し、ステップＳ５０７で表示画像の切換え指示を受付けなかったと判定した場合には、ステップＳ５１０に遷移する。
ステップＳ５０９では、審査者情報処理装置１１０は、ステップＳ５０７で受付けた指示に基づいて、表示部２１０に表示する審査画面の切り替えを行う。
【００４８】
ステップＳ５１０では、審査者情報処理装置１１０は、コンテストの審査状況の途中保存をする指示を、応募受付画面４００を通じてユーザから受付ける（審査を中断する指示を受付ける第１の審査中断指示受付手段）。具体的には例えば、審査状況保存ボタン９１１のボタンの押下を通じて受付ける。なお、途中保存とは、文字通り審査の途中の状態（押下を受付けた時点の審査状況）を、保存することである。そして、審査の途中の状態とは、審査通過となる作品が選ばれていても、入賞作品はまだ確定していない状態である。途中保存の詳細は、図７で述べる。
【００４９】
ステップＳ５１１では、審査者情報処理装置１１０は、ステップＳ５１０で、コンテストの審査状況の途中保存の指示を受付けたか否かの判定を行う。そして、ステップＳ５１０で審査状況の途中保存の指示を受付けたと判定した際には、ステップＳ５１２に遷移し、一方、審査状況の途中保存の指示を受付けなかったと判定した際には、ステップＳ５１３に遷移する。
【００５０】
ステップＳ５１２では、審査者情報処理装置１１０は、ステップＳ５１０の審査状況の途中保存の指示に基づいた審査状況の保存処理を行う確認画面を表示する指示を受付ける。詳細については、図７にて述べる。
【００５１】
ステップＳ５１３では、審査者情報処理装置１１０は、コンテストの審査を完了する確認画面を表示する指示を、応募受付画面４００を通じてユーザから受付ける。具体的には例えば、審査完了ボタン９１２のボタンの押下を通じて受付ける。なお、審査の完了とは、審査者の審査に基づいた入賞作品を確定させることである。審査の完了指示は、審査完了確認ボタン１８０２で受けつける（第１の審査完了指示受付手段）が、詳細は図８にて述べる。
【００５２】
ステップＳ５１４では、審査者情報処理装置１１０は、ステップＳ５１０で、コンテストの審査を完了する指示を受付けたか否かの判定を行う。そして、ステップＳ５１０で審査を完了する指示を受付けたと判定した際には、ステップＳ５１５に遷移し、一方、審査を完了する指示を受付けなかったと判定した際には、ステップＳ５０４に遷移する。
【００５３】
ステップＳ５１５では、審査者情報処理装置１１０は、ステップＳ５１３の審査を完了する指示に基づいた審査を完了する処理を行う。詳細については、図８にて述べる。
図６は、本発明の審査結果に基づく審査画面９００の遷移のサブフローの一例を示した
構成図である。そして、ステップＳ５０６のサブフローである。
【００５４】
ステップＳ６００では、ステップＳ５０５で受付けた内容に従って、審査者情報処理装置１１０で管理されているデータテーブルの情報（一次審査結果２２０５、二次審査結果２２０６、最終審査結果２２０７のいずれか）が更新される。また、審査者情報処理装置１１０は、予選審査選択ボタン６０５や最終審査結果入力ボタン１５０１で選択を受付けたコンテストの審査内容に従って、審査画面９００の表示を切り替える。具体的には、例えば、ラジオボタンの表示を切り替える。
【００５５】
ステップＳ６０１では、審査者情報処理装置１１０は、図２２のコンテンツ審査管理テーブル２２００−１と通過・入選数データテーブル２２００−２とに基づいて、それぞれの応募者のコンテンツの中に、現在の審査段階の審査の通過・入選数（所定の数）となったものがある否かを判定する。判定に用いるデータテーブルの項目は、具体的には、
（１）審査結果（一次審査結果２２０５・二次審査結果２２０６・最終審査結果２２０７のいずれか
（２）応募者名２２０２
（３）通過上限値（一次審査通過上限値２２０８・二次審査通過上限値２２０９・最終審査通過上限値２２１０のいずれか）
の３項目である。
【００５６】
そして、現在の審査段階の審査の通過・入選数（所定の数）となったものがあると判定された場合には、ステップＳ６０２に遷移し、一方、現在の審査段階の審査の通過・入選数（所定の数）となったものがないと判定された場合には、ステップＳ６０３に遷移する。
【００５７】
ここで、図２２を用いて判定の具体的な一例を挙げる。二次審査における応募者名２２０２「神津Ａ菜」の応募したコンテンツの二次審査結果２２０６は、審査通過となるコンテンツは作品名「旭に花」と「梅に鶯」の２点である。一方、二次審査通過上限値２２０９も２点である。したがって、この場合にはステップＳ６０１の判定「通過・入賞は所定の数である」は、ＹＥＳの判定となる。なお、以下の説明に出てくる、それぞれの応募者のコンテンツの中に、現在の審査段階の審査の通過・入選数（所定の数）を超過したものがある否かを判定する際（例えばステップＳ６０３、ステップＳ７００−１、ステップＳ８００−１）にも、これら３つの項目が用いられるものとする。
【００５８】
ステップＳ６０２では、審査者情報処理装置１１０は、それぞれの応募者の同一応募者のコンテンツの中に、現在の審査段階の審査の通過・入選数（所定の数）となったものがある旨表示する。（通知手段）具体的には、例えば上限通知表示領域１００１を表示して通知する。
【００５９】
ステップＳ６０３では、審査者情報処理装置１１０は、図２２のコンテンツ審査管理テーブル２２００−１と通過・入選数データテーブル２２００−２とに基づいて、それぞれの同一応募者の応募者のコンテンツの中に、現在の審査段階の審査の通過・入選数（所定の数）を超過するものがある否かを判定する。審査者情報処理装置１１０の管理するデータテーブルのどの項目を判定に用いるのかは、ステップＳ６０１に準ずる。そして、現在の審査段階の審査の通過・入選数（所定の数）を超過するものがあると判定された場合には、ステップＳ６０４に遷移し、一方、現在の審査段階の審査の通過・入選数（所定の数）を超過するものがないと判定された場合には、本フローを終了する。
【００６０】
ステップＳ６０４では、審査者情報処理装置１１０は、それぞれの同一応募者のコンテンツの中に、現在の審査段階の審査の通過・入選数（所定の数）を超過するものがある旨注意メッセージを表示する（コンテンツが所定の数になった旨を通知する通知手段）。具体的には例えば、超過通知表示領域１１０１を通じて表示を行う。
【００６１】
ステップＳ６０５では、審査者情報処理装置１１０は、現在の審査段階のそれぞれの同一応募者のコンテンツの審査の通過・入選数（所定の数）が、所定の数以内に収まるよう、超過是正のための審査通過となるコンテンツの再指定をユーザから再度受付ける（再指定受付手段）。具体的には例えば、超過是正受付領域７０１を通じて受付ける。このように設けることで、誤って同一応募者が複数（あるいは所定の数以上）のコンテンツが入賞してしまう状態を、簡単に解消できる手段を提供することができる。
【００６２】
そして、再指定を受付けると、受付けた内容に従って、審査者情報処理装置１１０で管理されているデータテーブルの情報（一次審査結果２２０５、二次審査結果２２０６、最終審査結果２２０７のいずれか）が更新される。
図７は、本発明の審査の途中保存の処理フローの一例を示した構成図である。そして、ステップＳ５１２のサブフローである。
まず、本フローの開始後の動きは、ステップＳ５０６（詳細は図６）に準ずる。
【００６３】
ステップＳ７００−１では、審査者情報処理装置１１０は、図２２のコンテンツ審査管理テーブル２２００−１と通過・入選数データテーブル２２００−２とに基づいて、それぞれの同一応募者の応募者のコンテンツの中に、現在の審査段階の審査の通過・入選数（所定の数）を超過するものがある否かを判定する。審査者情報処理装置１１０の管理するデータテーブルのどの項目を判定に用いるのかは、ステップＳ６０１に準ずる。そして、現在の審査段階の審査の通過・入選数（所定の数）を超過するものがあると判定された場合には、ステップＳ７００−２に遷移し、一方、現在の審査段階の審査の通過・入選数（所定の数）を超過するものがないと判定された場合には、テップＳ５００−３に遷移する。
【００６４】
ステップＳ７００−２では、審査者情報処理装置１１０は、現在の審査段階の審査の通過・入選数（所定の数）を超過するものがある旨を記載した途中保存確認画面１４０１を表示する。（審査の中断指示を受付けた際に、同一応募者の審査通過・入選の数が所定の数を超過した旨を通知する通知手段）具体的には例えば、図１４の「所定の数を超えた作品点数が、審査通過・入選する応募者がいます。」といった注意書きを入れて表示する。このように設けることで、誤って同一応募者が複数（あるいは所定の数以上）のコンテンツが審査通過・入賞してしまうような好ましくない状態で中断し、審査再開後にそのこと忘れたまま審査を再開する事態を防ぐことができる。
【００６５】
ステップＳ７００−３では、審査者情報処理装置１１０は、現在の審査段階の審査の通過・入選数（所定の数）を超過するものがある旨記載しない途中保存確認画面１４０１を表示する。具体的には例えば、図１４において「所定の数を超えた作品点数が、審査通過・入選する応募者がいます。」といった注意書きを入れない表示する（不図示）。
【００６６】
ステップＳ７０１では、審査者情報処理装置１１０は、コンテストの審査状況の途中保存をするか、キャンセルするかの選択を受付ける画面を表示し、ユーザから押下を受付ける。具体的には例えば、図１４の途中保存確認画面１４０１の表示を表示する。
【００６７】
ステップＳ７０２では、審査者情報処理装置１１０は、ステップＳ７０１でコンテストの審査状況の途中保存をキャンセルする指示をユーザから受付けたか否かの判定を行う。具体的には例えば、途中保存キャンセルボタン１４０３の押下を受付けたか否かの判定を行う。そして、コンテストの審査状況の途中保存をキャンセルする指示を受付けたと判定した場合には、ステップＳ７０３に遷移し、一方、コンテストの審査状況の途中保存をキャンセルする指示を受付けなかったと判定した場合には、ステップＳ７０４に遷移する。
ステップＳ７０３では、審査者情報処理装置１１０は、審査画面９００にコンテストの審査状況の途中保存をキャンセルした旨の表示を行う。
【００６８】
ステップＳ７０４では、審査者情報処理装置１１０は、ステップＳ７０１でコンテストの審査状況の途中保存をする指示をユーザから受付けたか否かの判定を行う。具体的には例えば、途中保存ボタン１４０２の押下を受付けたか否かの判定を行う。そして、コンテストの審査状況の途中保存をする指示を受付けたと判定した場合には、ステップＳ７０５に遷移し、一方、コンテストの審査状況の途中保存する指示を受付けなかったと判定した場合には、ステップＳ７０１に遷移する。
【００６９】
ステップＳ７０５では、審査者情報処理装置１１０は、情報管理装置１２０の管理しているマスタデータのデータテーブルを更新するべく、審査者情報処理装置１１０で一時記憶または保存しているデータテーブルの情報を送信する。
【００７０】
ステップＳ７０６では、情報管理装置１２０は、ステップＳ７０５で審査者情報処理装置１１０が送信したデータを受信し、図２２のコンテンツ審査管理テーブル２２００−１の情報を更新（別名保存でもよい）する。
ステップＳ７０７では、情報管理装置１２０は、審査者情報処理装置１１０にコンテストの審査状況の途中保存が完了した旨の通知を行う。
【００７１】
ステップＳ７０８では、審査者情報処理装置１１０は、ステップＳ７０７の通知を受信し、審査画面９００にコンテストの審査状況の途中保存が完了した旨の表示を行う。
図８は、本発明の審査の完了の処理フローの一例を示した構成図である。そして、ステップＳ５１５のサブフローである。
まず、本フローの開始後の動きは、ステップＳ５０６（詳細は図６）に準ずる。
【００７２】
ステップＳ８００−１では、審査者情報処理装置１１０は、図２２のコンテンツ審査管理テーブル２２００−１と通過・入選数データテーブル２２００−２とに基づいて、それぞれの同一応募者の応募者のコンテンツの中に、現在の審査段階の審査の通過・入選数（所定の数）を超過するものがある否かを判定する。審査者情報処理装置１１０の管理するデータテーブルのどの項目を判定に用いるのかは、ステップＳ６０１に準ずる。そして、現在の審査段階の審査の通過・入選数（所定の数）を超過するものがあると判定された場合には、ステップＳ８００−４に遷移し、一方、現在の審査段階の審査の通過・入選数（所定の数）を超過するものがないと判定された場合には、ステップＳ８００−３に遷移する。
【００７３】
ステップＳ８００−３では、審査者情報処理装置１１０は、ステップＳ８００−１から遷移してきた場合には、現在の審査段階の審査の通過・入選数（所定の数）を超過するものがある旨を記載した審査完了確認画面１８０１を表示する。具体的には例えば、図１８の「所定の数を超えた作品点数が、審査通過・入選する応募者がいます。」といった注意書きを入れて表示する。（審査の完了指示を受付けた際に、同一応募者の審査通過・入選の数が所定の数を超過した旨を通知する通知手段）このように設けることで、誤って同一応募者が複数（あるいは所定の数以上）のコンテンツが入賞してしまうことを防ぐことができる。反対に、ステップＳ８００−２から遷移してきた場合には、現在の審査段階の審査の通過・入選数（所定の数）の総数が、所定の数未満である旨を記載した審査完了確認画面１８０１を表示する。具体的には例えば、図１８の「所定の数を超えた作品点数が、審査通過・入選する応募者がいます。」の表記の代わりに「入選作品の点数が、規定数に達していません」といった注意書きを入れて表示する（不図示）。
【００７４】
ステップＳ８００−４では、審査者情報処理装置１１０は、現在の審査段階の審査の通過・入選数（所定の数）を超過するものがある旨記載しない審査完了確認画面１８０１を表示する。具体的には例えば、図１８において「所定の数を超えた作品点数が、審査通過・入選する応募者がいます。」といった注意書きを入れない表示する（不図示）。
【００７５】
ステップＳ８０１−１では、審査者情報処理装置１１０は、完了ロックチェックボックス９０２が有効になっているか否かの判定を行う。そして、有効であると判定された場合にはステップＳ８０１−２へ遷移し、一方、有効であると判定されなかった場合にはステップＳ８０１−３へ遷移する。完了ロックチェックボックス９０２とは、同一応募者の入賞数が所定の数を超過した場合や、入賞コンテンツの総数が規定の数に達しなかった際に、審査者情報処理装置１１０の、ユーザからの審査の完了指示の受付をロックする（受付けない）ようユーザより指示を受付けるボタンである。
【００７６】
ステップＳ８０１−２では、審査者情報処理装置１１０は、審査完了確認画面１８０１にて、審査完了確認ボタン１８０２の押下を受付けることなく、審査完了キャンセルボタン１８０３の押下を受付ける（同一応募者が所定の数を超える審査通過・入選がある場合には、審査完了を受付けない第１の審査完了指示受付手段）。このように設けることで、誤って同一応募者が複数（あるいは所定の数以上）のコンテンツが入賞してしまうことを防ぐことができる。審査完了確認ボタン１８０２の押下を受付けないよう設ける具体的な方法は、例えば図１９に示すように、ボタンが押下できない状態で薄色表示にする方法が考えられる、また、ボタンそのものを表示しない方法なども考えられる（不図示）。
【００７７】
ステップＳ８０１−３では、審査者情報処理装置１１０は、審査完了確認画面１８０１にて、審査完了確認ボタン１８０２と審査完了キャンセルボタン１８０３とのうち、いずれか一方のボタンの押下を受付ける。
【００７８】
ステップＳ８０２では、審査者情報処理装置１１０は、ステップＳ８０１−２またはステップＳ８０１−３でコンテストの審査完了指示をキャンセルする指示をユーザから受付けたか否かの判定を行う。具体的には例えば、審査完了キャンセルボタン１８０３の押下を受付けたか否かの判定を行う。そして、コンテストの審査完了をキャンセルする指示を受付けたと判定した場合には、ステップＳ８０３に遷移し、一方、コンテストの審査完了をキャンセルする指示を受付けなかったと判定した場合には、ステップＳ８０４に遷移する。
ステップＳ８０３では、審査者情報処理装置１１０は、審査画面９００にコンテストの審査完了をキャンセルした旨の表示を行う。
【００７９】
ステップＳ８０４では、審査者情報処理装置１１０は、ステップＳ８０１−２またはステップＳ８０１−３でコンテストの審査完了をする指示をユーザから受付けたか否かの判定を行う。具体的には例えば、審査完了確認ボタン１８０２の押下を受付けたか否かの判定を行う。そして、コンテストの審査完了をする指示を受付けたと判定した場合には、ステップＳ８０５に遷移し、一方、コンテストの審査完了する指示を受付けなかったと判定した場合には、ステップＳ８００−１に遷移する。
【００８０】
ステップＳ８０５では、審査者情報処理装置１１０は、情報管理装置１２０の管理しているマスタデータのデータテーブルを更新するべく、審査者情報処理装置１１０で一時記憶または保存しているデータテーブルの情報を送信する。また併せて、送信するデータベースの審査結果を以て審査を完了する旨の通知を情報管理装置１２０に行う。
【００８１】
ステップＳ８０６では、情報管理装置１２０は、ステップＳ８０５で審査者情報処理装置１１０が送信したデータと審査を完了する旨の通知を受信し、図２２のコンテンツ審査管理テーブル２２００−１の情報を更新（別名保存でもよい）し、審査完了とする。
ステップＳ８０６では、情報管理装置１２０は、ステップＳ８０５の更新（別名保存でもよい）と審査が完了した旨の通知を行う。
【００８２】
ステップＳ８０７では、情報管理装置１２０は、審査者情報処理装置１１０にコンテストの審査状況の途中保存が完了した旨と、審査が完了した旨受付けた通知を審査者情報処理装置１１０に行う。
ステップＳ８０８では、審査者情報処理装置１１０は、ステップＳ８０７の通知を受信し、審査画面９００にその旨の表示を行う。
【００８３】
図９は、審査画面９００の構成の一例を示した構成図である。審査画面９００は、表示部２１０に表示される。本発明の実施例では、一次審査と二次審査（予選審査）と最終審査の三段階の審査によりコンテストの入賞作品が決定される審査の仕組みを想定しており、図９はそのうち二次審査の審査画面の一例を示している。
【００８４】
審査画面９００は、審査者情報処理装置１１０の表示部２１０に表示される画面で、入賞作品を決定するための審査を行うための様々な指示をユーザ（審査者）から受けつけるための画面である。
【００８５】
重複入賞者一覧表示ボタン９０１は、図２０の超過数通過・入賞者一覧表示画面２００１を表示させるためのボタンである。なお、超過数通過・入賞者一覧表示画面２００１は、重複入賞者一覧表示ボタン９０１の押下を受付けると、現在の審査状況において、入賞となる同一応募者のコンテンツのうち、所定の数を超えて審査通過あるいは入賞となる同一応募者とそのコンテンツを一覧表示する画面である。同一の応募者が応募した作品のうち、所定の数以上の作品が審査通過または入賞をしていないかの判断は、図２２のコンテンツ審査管理テーブル２２００−１と通過・入選数データテーブル２２００−２とに基づいて、に基づいて判断する。補足として判断主体は、審査者情報処理装置１１０ではなく情報管理装置１２０としてもよい。例えばＪａｖａＳｃｒｉｐｔ（登録商標）などによって、審査者情報処理装置１１０で受付けた審査結果をオンタイムに情報管理装置１２０に送信することができれば、必ずしも審査者情報処理装置１１０が判断しなくてもよいためである。本実施例における同一の応募者が応募した作品のうち、所定の数以上の作品が審査通過または入賞をしていないかの判断は、他にもいくつかの場面で出てくるが、判断主体は同様に審査者情報処理装置１１０であっても、情報管理装置１２０であってもよい。
【００８６】
完了ロックチェックボックス９０２は、同一応募者の入賞数が所定の数を超過した場合や、入賞コンテンツの総数が規定の数に達しなかった際に、審査者情報処理装置１１０の、ユーザからの審査の完了指示の受付をロックする（受付けない）ようユーザより指示を受付けるチェックボックスである。この機能有効にした際は、重複入賞者一覧表示ボタン９０１の機能を利用した後でも作品の重複があった際に、審査を誤って終了しないことができる。
【００８７】
審査段階切替えタグ９０３は、審査コンテンツ表示領域９０４に表示されるコンテンツの審査の段階を、押下によって切り替えるタグである。例えば図９では、二次審査のタグがアクティブになっており、現在二次審査を行っていることが明示されている。同様に、例えば図１５や図１６では、最終審査のタブがアクティブになっており、最終審査を行っていることが明示されている。
【００８８】
審査コンテンツ表示領域９０４は、本コンテストの審査対象のコンテンツである。本実施例では静止画が表示される仕様であるが、例えば、画面をクリックすると動画や音楽が再生されるような仕様であってもよい。
審査結果入力ボタン９０５は、審査コンテンツ表示領域９０４の審査結果を審査者から受けつけるためのボタンである。
作品名表示領域９０６は、審査コンテンツ表示領域９０４の作品名（コンテンツ名）を示す表示領域である。
応募者名表示領域９０７は、審査コンテンツ表示領域９０４の応募者を示す表示領域である。
【００８９】
審査状況表示領９０８は、現審査段階における同一の応募者が応募した審査対象のコンテンツの総数と、いくつ目の審査であるかを表示する領域である。例えば図９の「３／５」は、応募者名表示領域９０７に示される応募者「神津Ａ菜」の審査対象のコンテンツの総数が５であり、審査コンテンツ表示領域９０４に示されるコンテンツは、そのうちの３枚目の作品であることを示している。
【００９０】
審査状況表示領域９０９は、応募者名表示領域９０７に示される応募者のそれぞれの審査段階における審査状況を一覧表示する領域である。「通過」は、横の行に対応するコンテンツが、縦の列に対応する審査段階において審査を通過した旨を示している。つまり、審査結果入力ボタン９０５で「審査通過」が選択されたことを示している。同様に、「落選」は、審査を通過しなかった（つまり、審査結果入力ボタン９０５で「落選」が選択された）旨を示している。また、「未審査」は、審査がなされていない状態、つまり、審査結果入力ボタン９０５で「審査通過」も「落選」も選択されていない状態を示している。
【００９１】
また、図１５の最終審査結果入力ボタン１５０１には、「審査通過」の代わりに各賞（本実施例ではＡ賞、Ｂ賞、Ｃ賞）が割り当てられているが、審査結果入力ボタン９０５と同様に選択された結果が表示される。例えば、図１５では、作品名「西瓜に揚物」の最終審査の評価は、「Ｂ賞」と表示されている。
【００９２】
通過数の行は、縦の列に対応する審査段階における、同一応募者の審査通過または入賞作品の上限値（所定の数）と、審査通過または入賞作品の総数とを示している。例えば図９の審査状況表示領域９０９の「１／２」は、二次審査における同一応募者の入賞作品の上限値が２点であり、現時点で１点の「審査通過」があることを示している（ここでは、作品名「椛に鹿」の「通過」がカウントされている）。なお、所定の数（上限値）は、通過・入選数データテーブル２２００−２で管理される。
また、９０４乃至９０９に表示されるデータは、図２２のコンテンツ審査管理テーブル２２００−１と通過・入選数データテーブル２２００−２で管理される。
【００９３】
コンテンツソート指示受付領域９１０は、特定の審査段階のコンテンツだけをソートする指示を受付ける領域である。本実施例では対応するソートをチェックボックスで受付けて、「表示する」のボタンで、実行指示を受付けるよう備えられている。
【００９４】
審査状況保存ボタン９１１は、審査状況の途中保存の指示を審査者から受付けるボタンである。押下を受付けた際には、ステップＳ７０５で説明したように、途中保存を行うための様々なデータを情報管理装置１２０に送信する。
【００９５】
審査完了ボタン９１２は、審査完了確認画面１８０１を呼び出す指示を受付けるためのボタンである。押下を受付けた際には、ステップＳ８０５で説明したように、審査完了確認画面１８０１を通じて審査を完了するための様々なデータを情報管理装置１２０に送信する指示を受付ける。
【００９６】
審査通過数指定変更ボタン９１３は、それぞれの審査段階における同一応募者が応募したコンテンツのうち、審査通過または入賞ができる上限値（所定の数）を設定・変更するための指示を受付ける画面を立ち上げる指示を受付けるボタンである。画面の詳細は図２１にて後述する。
【００９７】
スクロールバー９１４は、審査画面の切替え指示を審査者から受けつけるバーである。このバーによる指示を受付けると、審査対象コンテンツ表示領域９１５に表示された審査対象のコンテンツとその関連情報（９０３乃至９０９）の切り替えを行うことができる。例えば、図９の作品名「椛に鹿」のコンテンツが表示された状態からバーを下にスライドさせると、次の審査対象のコンテンツ（例えば、図１０に表示されている作品名「旭に花」のコンテンツ）とその関連情報を表示する画面に切り替わる、といった具合である。
図１０は、ある応募者の現審査段階の審査通過コンテンツが、所定の数（上限値）になった際の表示画面の一例を示した構成図である。
【００９８】
上限通知表示領域１００１は、審査画面９００において、現審査段階における同一応募者の審査対象のコンテンツが、同一応募者の審査通過または入賞作品の上限値（所定の数）に達した場合にその旨を通知する領域である。なお、フローには図示していないが、通知を行う際には、同一応募者の現審査段階における審査対象のコンテンツのうち未審査のものが含まれているか否かをさらに判定し、あると判定された場合には、図１０に示すように未審査のコンテンツがまだある旨の通知を含み、無いと判定された場合には、未審査のコンテンツがまだある旨の通知を含まない通知を行う（例えば「現審査段階の所定の数に達しました」だけ通知）よう備えてもよい。（同一応募者の審査対象のコンテンツの中に未審査コンテンツがあっても、所定の数に達した旨を通知する通知手段）審査者が、未審査のコンテンツがまだある旨を知ることができれば、現審査段階の全ての審査対象のコンテンツの審査が終了した際に、審査通過または入賞作品の数を上限値内に収められるよう、考えながら審査がしやすくなるからである。
【００９９】
図１１は、ある応募者の現審査段階の審査通過コンテンツが、所定の数（上限値）を超過した際の表示画面の一例を示した構成図である。つまり、現審査段階において審査結果入力ボタン９０５で選択を受付けた同一応募者の審査通過の作品点数が、図２２のデータテーブルで管理されている各審査段階において同一応募者のコンテンツのうち審査通過となる作品点数（コンテンツの点数）が、所定の数を超えたということである。例えば、図１１では審査段階は、二次審査である。つまり、「審査通過」の作品は同一の応募者（一の応募者）あたり２点までである。しかし図１１では、審査状況表示領域９０９の二次審査の通過数が「３／２」とあるように、３点選択されている状態であることを示している。
【０１００】
超過通知表示領域１１０１は、審査画面９００において、現審査段階における同一応募者の審査対象のコンテンツが、同一応募者の審査通過または入賞作品の上限値（所定の数）を超過した場合にその旨を通知する領域である。
超過コンテンツ表示領域１１０２は、審査結果入力ボタン９０５で、審査通過が選択されたコンテンツのサムネイル画像を表示する領域である。
【０１０１】
審査結果再入力受付領域１１０３は、審査結果入力ボタン９０５同様、超過コンテンツ表示領域１１０２に表示されたコンテンツの審査結果を再度審査者から受けつけるための領域である。本実施例ではチェックボックスにチェックがされている状態を審査通過、チェックが外れている状態を、落選として受けつける。チェックボックスではなく、選択型のラジオボタンなどでもよい。
図１２は、超過コンテンツ表示領域１１０２にマウスカーソル１２０１が重ねられた状態の一例を示す構成図である。
【０１０２】
領域拡大表示領域１２０２は、サムネイル拡大表示領域である。超過通知表示領域１１０１にサムネイル表示された超過コンテンツ表示領域１１０２または審査結果再入力受付領域１１０３の上にマウスカーソル１２０１が重ねられた際に、超過コンテンツ表示領域１１０２に表示されるコンテンツの拡大表示を行う領域である。つまり、超過コンテンツ表示領域１１０２は、表示されたコンテンツのサムネイル画像を拡大表示する指示を受付ける拡大指示受付手段となる。このように設けることで、スクロールバー９１４などによる審査画面の切り替えを行うことなく、再審査したいコンテンツの細部を素早く確認できるため、迅速に再審査を進めることができる。
【０１０３】
図１３は、図１１のある応募者の現審査段階の審査通過コンテンツが、所定の数（上限値）を超過した状態が解消された際の表示画面の一例を示した構成図である。つまり、超過通知表示領域１１０１が表示された後、審査結果再入力受付領域１１０３による超過コンテンツ表示領域１１０２に表示されたコンテンツの審査結果を再度審査者から受付けた結果、同一応募者の審査通過の作品点数が、図２２のデータテーブルで管理されている各審査段階において同一応募者のコンテンツのうち審査通過となる作品点数（コンテンツの点数）が、所定の数に収まった状態である。
【０１０４】
図１３では、超過通知表示領域１１０１のメッセージが、所定の数に収まった旨のメッセージに変わっている。また通過数が一つ減って「２／２」になっている。
【０１０５】
図１４は、図１１の状態において審査状況保存ボタン９１１の押下を受付けた状態の一例を示す構成図である。つまり、ステップＳ７００−２に表示される画面の一例を示した構成図ある。
【０１０６】
途中保存確認画面１４０１は、現審査段階の審査状況を途中保存するか否かを確認するメッセージ（例えば、図１４では「本当に審査状況を途中保存しますか？」というメッセージ）を表示するための画面である。更に、現在の審査段階で同一応募者の審査の通過・入選数のうち、所定の数を超過するものがあった際には、その旨の通知（例えば、図１４のように「所定の数を超えた作品点数が、審査通過・入選する応募者がいます。」というメッセージ）も行う。
【０１０７】
途中保存ボタン１４０２は、図２２のコンテンツ審査管理テーブル２２００−１に関連する情報を更新（別名保存でもよい）するべく、審査画面９００にコンテストの現在の審査状況に関する情報を送信するための指示を受けつけるボタンである。
途中保存キャンセルボタン１４０３は、コンテストの審査状況の途中保存をキャンセルする指示を受付けるボタンである。
【０１０８】
図１５は、最終審査において、図１０と同様にある応募者の審査通過（入賞）コンテンツが、所定の数（上限値）となった際の表示画面の一例を示した構成図である。
【０１０９】
上限通知表示領域１００１は、審査画面９００において、現審査段階における同一応募者の審査対象のコンテンツが、同一応募者の審査通過または入賞作品の上限値（所定の数）に達した場合にその旨を通知する領域である。図１０と同様に、通知を行う際には、同一応募者の現審査段階における審査対象のコンテンツのうち未審査のものが含まれているか否かをさらに判定し、あると判定された場合には、図１５に示すように未審査のコンテンツがまだある旨の通知を含み、無いと判定された場合には、未審査のコンテンツがまだある旨の通知を含まない通知を行う（例えば「現審査段階の所定の数に達しました」だけ通知）よう備えてもよい。
【０１１０】
最終審査結果入力ボタン１５０１は、審査結果入力ボタン９０５の一つで、審査通過の代わりに審査結果として、Ａ・Ｂ・Ｃ賞のうちいずれかの賞か、落選かを受付けることができる。つまり、入賞（最終審査の審査通過）か、落選かを受け付けることができる。
【０１１１】
図１６は、最終審査において、図１１と同様にある応募者の審査通過（入賞）コンテンツが、所定の数（上限値）を超過した際の表示画面の一例を示した構成図である。
【０１１２】
つまり、審査結果入力ボタン９０５（最終審査結果入力ボタン１５０１）で選択を受付けた同一応募者の審査通過（入賞）の作品点数が、図２２のデータテーブルで管理されている各審査段階において同一応募者のコンテンツのうち審査通過（入賞）となる作品点数（コンテンツの点数）が、所定の数を超えた際に表示される審査画面９００を示している。そして、図１１と同様に、超過通知表示領域１１０１が表示されている。なお、最終選考では、審査結果再入力受付領域１１０３に最終審査結果入力ボタン１５０１で受付けた賞が表記されている。この賞の表記は、表記部分にプルダウンメニューなどの構成として、べつの賞に変更できてもよい（不図示）。
【０１１３】
図１７は、最終審査段階において、図１３と同様に図１６のある応募者の審査通過（入賞）コンテンツが、所定の数（上限値）を超過した状態が解消された際の表示画面の一例を示した構成図である。つまり、超過通知表示領域１１０１が表示された後、審査結果再入力受付領域１１０３による超過コンテンツ表示領域１１０２に表示されたコンテンツの審査結果を再度審査者から受付けた結果、同一応募者の審査通過（入賞）の作品点数が、所定の数に収まった際の画面の一例である。（例えば本実施例では、応募者１人あたりの入賞数（所定の数）は１）
【０１１４】
図１７では、超過通知表示領域１１０１のメッセージが、応募者１人あたりの入賞数が、所定の数に収まった旨のメッセージに変わっている。また審査状況表示領域９０９の最終審査の通過数が図１６から１つ減って「１／１」になっている。
【０１１５】
図１８は、図１６の状態において審査完了ボタン９１２の押下を受付けた状態の一例を示す構成図である。つまり、ステップＳ８００−３に表示される画面の一例を示した構成図ある。
【０１１６】
審査完了確認画面１８０１は、コンテストの審査を完了するか否かを確認するメッセージ（例えば、図１８では「本当に審査を完了しますか？」というメッセージ）を表示するための画面である。更に、最終審査段階で同一応募者の審査の通過・入選数のうち、所定の数を超過するものがあった際には、その旨の通知（例えば、図１８のように「所定の数を超えた作品点数が、審査通過・入選する応募者がいます。」というメッセージ）も行う。
【０１１７】
審査完了確認ボタン１８０２は、図２２のコンテンツ審査管理テーブル２２００−１に関連する情報を更新（別名保存でもよい）し、審査を完了するべく、審査画面９００にコンテストの現在の審査状況に関する情報と審査の完了指示とを送信するための指示を受けつけるボタンである。
審査完了キャンセルボタン１８０３は、コンテストの審査完了をキャンセルする指示を受付けるボタンである。
【０１１８】
図１９は、完了ロックチェックボックス９０２が有効（オン）になっている場合の図１８の変形例の一例を示した構成図である。完了ロックチェックボックス９０２がオンになっているため、審査完了確認ボタン１８０２の押下を受付けられず、審査完了キャンセルボタン１８０３の押下のみが受けつけられる状態となっている。つまり、ステップＳ８０１−２の状態である。図１９を表示するため、具体的には例えば、ステップＳ８０１−２では審査完了確認ボタン１８０２を、押下できない薄色表示状態に切り替えている。また、ボタンそのものを表示しない方法なども考えられる（不図示）。
【０１１９】
図２０は、各審査段階において所定の数を超過した同一応募者の審査通過・入賞したコンテンツを一覧表示する画面の一例を示した構成図である。図２０は、重複入賞者一覧表示ボタン９０１の押下を受付けた際に表示される超過数通過・入賞者一覧表示画面２００１である。
【０１２０】
超過数通過・入賞者一覧表示画面２００１は、重複入賞者一覧表示ボタン９０１の押下を受付けると、現在の審査状況において、入賞となる同一応募者のコンテンツのうち、所定の数を超えて審査通過あるいは入賞となる同一応募者とそのコンテンツを一覧表示する画面である。同一の応募者が応募した作品のうち、所定の数以上の作品が審査通過または入賞をしていないかの判断は、図２２のコンテンツ審査管理テーブル２２００−１と通過・入選数データテーブル２２００−２とに基づいて、に基づいて判断する。
【０１２１】
審査結果再入力ボタン２００２は、超過コンテンツ表示領域１１０２に表示されたコンテンツの審査結果を再度ユーザから受けつけるボタンである。本実施例では予選審査選択ボタン６０５や最終審査結果入力ボタン１５０１と同様に審査通過や入賞や落選といったコンテンツの審査結果を受付けるためのラジオボタンであるが、受付けの方法は他にも例えばプルダウンメニューなど様々な方法が考えられる。
審査画面に戻るボタン２００３は、審査画面９００に戻るための指示を受付けるためのボタンである。
図２１は、審査通過数指定変更ボタン９１３が押下された際に表示される画面の一例を示した構成図である。
【０１２２】
審査通過数変更受付領域２１０１は、それぞれの審査段階における同一応募者が応募したコンテンツのうち、審査通過または入賞ができる上限値（所定の数）を設定・変更するための指示を受付ける領域である（所定の数受付手段）。このように設けることで、審査者、それぞれの審査過程において最も絞り込みをかけやすい同一応募者の審査通過の上限値を、受付けることができる。この画面は、審査通過数指定変更ボタン９１３の押下に応じて審査者情報処理装置１１０で生成してもよいし、押下された情報を情報管理装置１２０に送信し、情報管理装置１２０で受信した情報に基づいて生成してもよい。そして、情報管理装置１２０で生成した場合は、画面を審査者情報処理装置１１０にて表示させるべく生成した画面を送信する。つまり、情報管理装置１２０は所定の数をユーザから受けつけるための画面送信を行う所定の数受付画面送信手段を備えているということである。
【０１２３】
審査条件確定ボタン２１０２は、審査通過数変更受付領域２１０１で受付けたそれぞれの審査段階における同一応募者が応募したコンテンツのうち、審査通過または入賞ができる上限値（所定の数）を設定・変更する指示を受付けるためのボタンである。
【０１２４】
図２２は、本発明で扱うデータテーブルの一例を示した構成図である。本データテーブルのマスタは、情報管理装置１２０が管理しており、その情報は、ステップＳ５０２で審査者情報処理装置１１０に審査画面を送信する際にあわせて送信される。そして、審査者情報処理装置１１０のメモリやハードディスクに一時記憶または保存される。さらに、審査者情報処理装置１１０で一時記憶または保存されたデータテーブルを用いて、審査画面９００で受付けた審査結果の管理を行う。具体的には、データテーブルで管理されるそれぞれのコンテンツが、各審査過程においてどのような審査結果なのか（審査通過・落選・未審査・入賞（Ａ・Ｂ・Ｃ賞）など）を、コンテンツに紐づけて管理する。また、審査結果と所定の数（各審査段階の審査通過や入賞の上限値）と応募者名２２０２とに基づいて、ステップＳ６０１，ステップＳ６０３，ステップＳ７００−１，ステップＳ８００−１，ステップＳ８００−２などにおいて、同一応募者の応募したコンテンツのうち各審査段階の審査通過や入賞したコンテンツの数が、所定の数を超過していないかや所定の数であるかを判定する。また、ステップＳ７０５やステップＳ８０５で、保存データ（審査者情報処理装置１１０で一時記憶または保存されたデータテーブル）が情報管理装置１２０に送信された場合には、ステップＳ７０６やステップＳ８０６に示されるように、情報管理装置１２０で管理されているマスタデータは、審査者情報処理装置１１０から受信したデータを基に上書き保存されることになる。
【０１２５】
コンテンツ審査管理テーブル２２００−１は、コンテストに応募されたコンテンツとその審査状況に関する情報を管理するデータテーブルである。情報は、コンテストＩＤ２２０１と図４の応募受付画面４００で受付けたコンテストへ応募されたコンテンツとその関連情報（作品名、コメント、ユーザＩＤ、応募者名、郵便番号、住所など）と審査結果入力ボタン９０５・審査結果再入力受付領域１１０３・最終審査結果入力ボタン１５０１等で受付けた審査者の審査結果とが対応付けられて記憶されている。ただし、図２２ではスペースの都合上、コメント、ユーザＩＤ、郵便番号、住所は不図示としている。
コンテストＩＤ２２０１は、それぞれのコンテストに割振られたＩＤである。
応募者名２２０２は、コンテストの審査対象となるコンテンツを応募した応募者の名前である。これが、コンテンツの応募者を識別する識別情報となる。
応募コンテンツファイル名２２０３は、コンテストの審査対象となるコンテンツとその名称である。
【０１２６】
応募コンテンツ作品名２２０４は、コンテストの審査対象となるコンテンツの作品名である。応募コンテンツファイル名２２０３とは同一であってもなくてもよい。
【０１２７】
一次審査結果２２０５は、予選審査選択ボタン６０５、審査結果再入力受付領域１１０３、審査結果再入力ボタン２００２で受付けたコンテンツの審査結果である。
【０１２８】
二次審査結果２２０６は、予選審査選択ボタン６０５、審査結果再入力受付領域１１０３、審査結果再入力ボタン２００２で受付けたコンテンツの審査結果である。
【０１２９】
最終審査結果２２０７は、審査結果再入力受付領域１１０３、最終審査結果入力ボタン１５０１、審査結果再入力ボタン２００２で受付けたコンテンツの審査結果である。
【０１３０】
通過・入選数データテーブル２２００−２は、コンテストの各審査段階における、同一応募者１人あたりの審査通過や入賞できるコンテンツの数（所定の数・上限値）を管理するデータテーブルである。ここで管理される、所定の数（上限値）は、管理者情報処理端末１５０を通じて管理者から予め情報管理装置１２０が受付けたものを用いてもよいし、図２１の画面の審査通過数変更受付領域２１０１を通じて審査者情報処理装置１１０より、審査者から受けつけてもよい。
【０１３１】
一次審査通過上限値２２０８は、一次審査段階における同一応募者が応募したコンテンツのうち、審査通過または入賞ができる上限値（所定の数）である。例えば、図２２では、一次審査段階では同一応募者は、５点のコンテンツまでが審査通過できることになる。
二次審査通過上限値２２０９は、二次審査段階における同一応募者が応募したコンテンツのうち、審査通過または入賞ができる上限値（所定の数）である。
最終審査通過上限値２２１０は、最終審査段階における同一応募者が応募したコンテンツのうち、審査通過または入賞ができる上限値（所定の数）である。
【０１３２】
以上が第１の実施例である。具体的には例えば、本実施例は、審査を行うためのアプリケーションが審査者情報処理装置１１０にインストールされているような、審査する情報処理装置が１つの場合の例である。このような仕様においては、審査者情報処理装置１１０が、ステップＳ５０１で情報管理装置１２０に審査画面のデータを要求し、ステップＳ５０３で情報管理装置１２０から審査画面９００を表示するために必要な各種データ（コンテンツ審査管理テーブル２２００−１と通過・入選数データテーブル２２００−２で管理されている情報）を情報管理装置１２０から取得した後は、審査結果の一時保存と、審査完了の際には情報管理装置１２０と通信する場合を除いて、基本的には審査者情報処理装置１１０で処理が進行する。
つまり、審査者情報処理装置１１０で次のような処理がなされる。
（１）審査画面９００の表示と、審査画面９００を通じたユーザからの審査結果の受付け
（２）各審査段階において同一応募者の審査通過や入賞のコンテンツの数が所定の数を超過しているか否かの判定
（３）（２）で超過している場合のその旨の通知
（４）各審査段階において同一応募者の審査通過や入賞のコンテンツの数が所定の数に達したか否かの判定
（５）（４）で所定の数に達した場合のその旨の通知
（６）（２）所定の数を超過した場合の、審査終了の指示を受付けない動き
また、変形例として、データテーブルを審査者情報処理装置１１０で持っていてもよい。
【０１３３】
これに対し、第２の実施例として、各種情報管理や同一応募者の審査通過・入賞数が所定の数に達したり超過したりしたかの判断機能を情報管理装置１２０に持たせ、審査者情報処理装置１１０には審査画面の表示と審査結果の受付けを行うような方法が考えられる。例えば、審査者情報処理装置１１０には、インターネットのブラウザを用いて、審査画面９００の表示と審査結果の受付だけをさせるようなやりかたである（受付けたけ審査結果の送信は、適宜送信を受付けてもよいし、ＪａｖａＳｃｒｉｐｔ（登録商標）を用いてオンタイムにしてもよい）。このように、審査者情報処理装置１１０が審査を受付ける度に、情報管理装置１２０と通信し情報管理装置１２０の管理する図２２のデータテーブル（コンテンツ審査管理テーブル２２００−１や通過・入選数データテーブル２２００−２）を更新する構成であれば、データテーブルを審査者情報処理装置１１０に持たせる必要がなくなる。また、専用のアプリケーションをインストールする手間も省ける。さらには、一つのマスタデータを管理すれば済むよう設けることで、複数の審査者情報処理装置１１０と接続し、複数の審査者で同時にコンテストの審査を行うことも可能になる。
【０１３４】
また、データテーブルを審査者情報処理装置１１０に持たせない構成とするために、ステップＳ６０１、ステップＳ６０３、ステップＳ７００−１、ステップＳ８００−１といった同一応募者のコンテンツのうち審査通過・入賞が所定の数であるかあるいは超過したかの判断分岐は、情報管理装置１２０側に持たせることとなる。これは、情報管理装置１２０で行う判定ステップに、情報管理装置１２０で管理するデータテーブルの項目を用いるためである。
以上より、審査者情報処理装置１１０側と情報管理装置１２０側とで次のように処理が分かれることになる。
まず、審査者情報処理装置１１０側の処理は、以下の通り（１）のみである。
（１）審査画面９００の表示と、審査画面９００を通じたユーザからの審査結果の受付け
一方、情報管理装置１２０側の処理は、次の（２）乃至（６）である。
【０１３５】
（２）（１）審査結果を審査者情報処理装置１１０から受付けて（審査通過となるコンテンを決めるためのコンテンツの指定の情報を受信する指定の情報受付手段である）データテーブルを更新し、それを基に各審査段階において同一応募者の審査通過や入賞のコンテンツの数が所定の数を超過しているか否かの判定（つまり、超過判定手段である）
【０１３６】
（３）（２）で超過している場合のその旨の通知（審査者情報処理装置１１０にて、審査画面９００に超過通知表示領域１１０１を表示させるべく通知を行うか、超過通知表示領域１１０１を含む画面送信をする。その際、超過通知表示領域１１０１には超過コンテンツ表示領域１１０２と審査結果再入力受付領域１１０３とを含まれるものとする。つまり、
再審査を受付ける画面も送信する再審査受付画面送信手段である。）
（４）各審査段階において同一応募者の審査通過や入賞のコンテンツの数が所定の数に達したか否かの判定
（５）（４）で所定の数に達した場合のその旨の通知
（６）（２）所定の数を超過した場合の、審査終了の指示を受付けない動き
【０１３７】
この実施例の場合、（２）や（４）の判定で必要な情報を情報管理装置１２０で管理しているため、ステップＳ５０２のように送信する必要はない。（ただし変形例として、データテーブルを、審査者情報処理装置１１０に持たせた場合には、その情報を審査者情報処理装置１１０から情報管理装置１２０に送信するケースも考えられる。）
以上のように実施例１と２とでは、内部の処理の主体が異なる点があるが、審査画面９００上のユーザアイコンは、どちらも見かけ上は同じような動きとなる。
【０１３８】
以上説明したように、本発明は、審査者の負担が少なく、入賞作品を決めるための審査を通過する作品が特定応募者の作品にばかり偏りにくい、コンテストの審査の仕組みを提供することができる。
【０１３９】
また、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１４０】
この場合、記録媒体から読み出されたプログラム自体が本発明の新規な機能を実現することになり、そのプログラムを記憶した記録媒体は本発明を構成することになる。
【０１４１】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０１４２】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１４３】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１４４】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０１４５】
１１０    審査者情報処理装置
１２０    情報管理装置
１３０    応募者情報処理端末
１４０    通信ネットワーク
１５０    管理者情報処理端末
２０１    ＣＰＵ
２０２    ＲＯＭ
２０３    ＲＡＭ
２０４    システムバス
２０５    入力コントローラ
２０６    ビデオコントローラ
２０７    メモリコントローラ
２０８    通信Ｉ／Ｆコントローラ
２０９    ＫＢ／ボタン／タッチパネル
２１０    表示端末（表示部）
２１１    外部メモリ
４００    応募受付画面
４０１    コンテンツアドレス表示領域
４０２    コンテンツ候補表示ボタン
４０３    作品名受付領域
４０４    コメント受付領域
４０５    応募コンテンツ一覧追加指示受付ボタン
４０６    応募コンテンツ一覧
４０７    ユーザＩＤ受付領域
４０８    応募者名受付領域
４０９    応募者郵便番号受付領域
４１０    応募者住所受付領域
４１１    コンテンツ応募指示ボタン
４１２    応募終了ボタン
９００    審査画面
９０１    重複入賞者一覧表示ボタン
９０２    完了ロックチェックボックス
９０３    審査段階切替えタグ
９０４    審査コンテンツ表示領域
９０５    審査結果入力ボタン
９０６    作品名表示領域
９０７    応募者名表示領域
９０８    審査状況表示領
９０９    審査状況表示領域
９１０    コンテンツソート指示受付領域
９１１    審査状況保存ボタン
９１２    審査完了ボタン
９１３    審査通過数指定変更ボタン
９１４    スクロールバー
９１５    審査対象コンテンツ表示領域
１００１  上限通知表示領域
１１０１  超過通知表示領域
１１０２  超過コンテンツ表示領域
１１０３  審査結果再入力受付領域
１２０１  マウスカーソル
１２０２  領域拡大表示領域
１４０１  途中保存確認画面
１４０２  途中保存ボタン
１４０３  途中保存キャンセルボタン
１５０１  最終審査結果入力ボタン
１８０１  審査完了確認画面
１８０２  審査完了確認ボタン
１８０３  審査完了キャンセルボタン
２００１  超過数通過・入賞者一覧表示画面
２００２  審査結果再入力ボタン
２００３  審査画面に戻るボタン
２１０１  審査通過数変更受付領域
２１０２  審査条件確定ボタン
２２００−１  コンテンツ審査管理テーブル
２２０１  コンテストＩＤ
２２０２  応募者名
２２０３  応募コンテンツファイル名
２２０４  応募コンテンツ作品名
２２０５  一次審査結果
２２０６  二次審査結果
２２０７  最終次審査結果
２２００−２  通過・入選数データテーブル
２２０８  一次審査通過上限値
２２０９  二次審査通過上限値
２２１０  最終審査通過上限値
【図１】
2016212659.tif 000003
【図２】
2016212659.tif 000004
【図３】
2016212659.tif 000005
【図４】
2016212659.tif 000006
【図５】
2016212659.tif 000007
【図６】
2016212659.tif 000008
【図７】
2016212659.tif 000009
【図８】
2016212659.tif 000010
【図９】
2016212659.tif 000011
【図１０】
2016212659.tif 000012
【図１１】
2016212659.tif 000013
【図１２】
2016212659.tif 000014
【図１３】
2016212659.tif 000015
【図１４】
2016212659.tif 000016
【図１５】
2016212659.tif 000017
【図１６】
2016212659.tif 000018
【図１７】
2016212659.tif 000019
【図１８】
2016212659.tif 000020
【図１９】
2016212659.tif 000021
【図２０】
2016212659.tif 000022
【図２１】
2016212659.tif 000023
【図２２】
2016212659.tif 000024